(57)【要約】【課題】  アクセサリ接続端子を有効活用し、より変化に富んだ娯楽性の高い撮影を可能とする。【解決手段】アクセサリＩＦモジュール１０４にアクセサリ１１２が接続されている場合、アクセサリＩＦモジュール１０４、アクセサリ１１２の外部ＩＦ２０１を介して駆動部２０３を、アクセサリ１１２の外観がシャッター操作に対応する形態に変化するように制御し、アクセサリ１１２の内蔵ＲＯＭ２０２に記録されているシャッター操作に関連付けられている画像データ、音声データを外部ＩＦ２０１、アクセサリＩＦモジュール１０４を介して取得することで上記課題を解決する。【選択図】  図１  
2005176149.tif 000002
【特許請求の範囲】
【請求項１】
カメラから得られた画像を記録媒体に記録でき、記録媒体に記録されている画像データを再生する装置において、操作に応じて形態を変化させるアクセサリを装着可能な画像記録再生装置。
【請求項２】
請求項１記載の画像記録再生装置において、アクセサリ接続端子から画像データ及び音声データを取得することを特徴とする画像記録再生装置。
【請求項３】
請求項１記載の画像記録再生装置において、動作状態によってアクセサリの形態を変化させることを特徴とする画像記録再生装置。
【請求項４】
請求項１記載の画像記録再生装置において、記録時にアクセサリの形態に関連付けられている画像を、撮影画像に合成し記録媒体に記録することを特徴とする画像記録再生装置。
【請求項５】
請求項１記載の画像記録再生装置において、記録時にアクセサリの機種情報を記録データに付加することを特徴とする画像記録再生装置。
【請求項６】
請求項１記載の画像記録再生装置において、記録時にアクセサリの形態変化情報を記録データに付加することを特徴とする画像記録再生装置。
【請求項７】
請求項１記載の画像記録再生装置において、再生時に再生データに付加されているアクセサリ機種情報及びアクセサリ形態変化情報に基づいて、画像の再生とともにアクセサリの形態を変化させることを特徴とする画像記録再生装置。
【発明の詳細な説明】
【技術分野】
【０００１】
本発明は、撮影された画像データを記録媒体に記録する画像記録装置、及び記録媒体に記録されている画像データを再生する画像再生装置に関する。
【背景技術】
【０００２】
画像を記録再生する装置として、ビデオカメラ、デジタルカメラなどの画像記録再生装置が知られている。これら撮像装置には一般的にアクセサリシューと呼ばれるアクセサリ接続端子がついているものもあり、ストロボやビデオライト、マイクなどを装着できる。
【特許文献１】特開平１０−２９３３６０号公報
【発明の開示】
【発明が解決しようとする課題】
【０００３】
しかしながら、上述の従来例で述べたストロボやビデオライトなどのアクセサリを装着しないとき、アクセサリ接続端子はフリーになっている。また、ストロボやビデオライト、マイクなどは撮影を補助するもので、変化に乏しく遊び感覚に欠ける傾向があった。
【０００４】
本発明は上述の問題点に鑑みて成されたもので、アクセサリ接続端子を有効活用し、より変化に富んだ娯楽性の高い撮影を可能とするものである。    
【課題を解決するための手段】
【０００５】
上記課題を解決するために本発明は、カメラから得られた画像を記録媒体に記録でき、記録媒体に記録されている画像データを再生する装置において、操作に応じて形態を変化させるアクセサリを装着できることを特徴とする。
【０００６】
また、アクセサリ接続端子から画像データ及び音声データを取得することを特徴とする。
【０００７】
また、動作状態によってアクセサリの形態を変化させることを特徴とする。
【０００８】
また、記録時にアクセサリの形態を表す画像を、撮影画像に合成し記録媒体に記録することを特徴とする。
【０００９】
また、記録時にアクセサリの機種情報を記録データに付加することを特徴とする。
【００１０】
また、記録時にアクセサリの形態変化情報を記録データに付加することを特徴とする。
【００１１】
また、再生時に再生データに付加されているアクセサリ機種情報及びアクセサリ形態変化情報に基づいて、画像の再生とともにアクセサリの形態を変化させることを特徴とする。
【発明の効果】
【００１２】
本発明によれば、操作に応じて形態を変化させるアクセサリをアクセサリ接続端子に接続することで、アクセサリ接続端子を有効活用し、より変化に富んだ娯楽性の高い撮影を実現することができる。
【００１３】
また、アクセサリの内蔵ROMからアクセサリの形態変化に応じた画像データを取得し撮影画像に合成することで、記録時のアクセサリ形態と撮影画像を関連付けることができる。
【００１４】
さらに、画像記録再生装置の動作状態によってアクセサリの形態を変化させることで、画像記録再生装置の動作状態をユーザまたは被写体に認識させることができ、記録時にアクセサリ機種情報とアクセサリ制御データを記録媒体に記録する記録データに付加することで、再生時に記録時のアクセサリ形態を再現することが可能となる。
【発明を実施するための最良の形態】
【００１５】
以下に本発明の実施例について説明する。
【実施例１】
【００１６】
以下に、本発明の第１の実施例を図１〜図６に基づき説明する。
【００１７】
図１は、本発明の概略構成ブロック図であり、図１を参照して本発明の画像記録再生装置の構成を説明する。
【００１８】
１０１は被写体を撮影する撮影レンズ、１０２はレンズ１０１からの光を信号に変換するＣＣＤ画像素子、１０３はＣＣＤ１０２の信号を処理するカメラ信号処理部、１０４はアクセサリとのインタフェースとなるアクセサリＩＦモジュール、１０５はユーザとのインタフェースとなる操作キー、１０６は撮像装置をコントロールするＣＰＵ、１０７は音を出力するスピーカ、１０８は記録画像、合成画像等の画像データを保持するための画像メモリ、１０９は記録画像、または再生画像と合成用画像を合成する画像合成部、１１０は画像データを圧縮伸長が可能な画像圧縮伸長部である。１１１は画像データを記録媒体に記録することが可能で、記録媒体に記録されているデータを再生することが可能な記録再生部である。１１４は液晶パネルである。以上、レンズ１０１〜記録再生部１１１、及び液晶パネル１１４により本実施の形態の画像記録再生装置を構成している。
【００１９】
１１２は画像データ、音声データ等が記録されているＲＯＭを内蔵したアクセサリである。１１３はテープ、ディスクなどの記録媒体である。
【００２０】
図２は、図１に図示したアクセサリ１１２の説明と、本発明の一動作例を示したイメージ図であり、図２を参照して一動作例について説明する。
【００２１】
まず、アクセサリ１１２について説明する。２０１はアクセサリＩＦモジュール１０４と接続可能な外部ＩＦ、２０２は画像データ、音声データが記録されている内蔵ＲＯＭで外部ＩＦを介して読み取り可能である。２０３は外部ＩＦを介して駆動制御する駆動部である。２０４はアクセサリ１１２を制御する制御部である。外部ＩＦ２０１〜制御部２０４によってアクセサリ１１２を構成している。また、アクセサリ１１２の外観は人形形態をしている。
【００２２】
次に本発明の動作例を説明する。まず、本発明における画像記録再生装置のアクセサリＩＦモジュール１０４にアクセサリ１１２を接続する。アクセサリ１１２を接続した状態で、シャッター操作を行うとＣＰＵ１０６はアクセサリＩＦモジュール１０４、外部ＩＦ２０１を介してアクセサリ１１２の外観が変化するように駆動部２０３を制御する。また、同時に内蔵ＲＯＭ２０２から画像データ、音声データを読み取り、シャッター効果音の変わりに音声データをスピーカ１０７から出力する。また、記録画像とアクセサリ１１２から読み取った画像データを画像合成部で合成し、合成した画像を記録媒体１１３に記録する。画像データはシャッター操作時のアクセサリ１１２の外観に関連付けた画像になっている。たとえば図２に示すように、シャッター操作によって変化した外観に対応した画像を合成する。
【００２３】
図３は、図２で示したシャッター操作時の一動作例におけるＣＰＵ１０６の動作フローチャートである。図３を参照して、本実施例の動作を説明する。
【００２４】
まず、ユーザがシャッター操作を実行すると、アクセサリＩＦモジュール１０４にアクセサリ１１２が接続されているか判断する（Ｓ３０１）。接続されていなければ（ＮＯ）Ｓ３０６に移り、撮影画像を記録媒体に通常記録する。接続されていれば（ＹＥＳ）アクセサリＩＦモジュール１０４、アクセサリ１１２の外部ＩＦ２０１を介して駆動部２０３を、アクセサリ１１２の外観がシャッター操作に対応する形態に変化するように制御する（Ｓ３０２）。次に、アクセサリ１１２の内蔵ＲＯＭ２０２に記録されているシャッター操作に関連付けられている画像データ、音声データを外部ＩＦ２０１、アクセサリＩＦモジュール１０４を介して取得する（Ｓ３０３）。取得した音声データはスピーカ１０７から出力し再生する（Ｓ３０４）。撮影画像と取得した画像データを画像合成部１０９で合成し画像メモリ１０８に格納する（Ｓ３０５）。画像メモリ１０８に格納されている画像を圧縮伸長回路１１０で圧縮し、記録再生部１１１を介して記録媒体１１３に記録する（Ｓ３０６）。
【００２５】
本実施例１では、取得した画像データを撮影画像に合成し記録したが、合成して記録するかユーザが設定できるようにしてもよい。また、取得した音声データをスピーカ１０７から出力したが、音声データを出力するかユーザに設定させてもよい。
【００２６】
なお、シャッター操作が全押しの場合にアクセサリ１１２の形態が変化する場合について説明したが、シャッター操作が半押しの状態でアクセサリ１１２の形態が変化するようにしてもよい。
【００２７】
図４は、本発明に係る画像記録再生装置の動画記録時の一動作例におけるＣＰＵ１０６の動作フローチャートである。図４を参照して本実施例の動作を説明する。
【００２８】
まず、ＣＰＵ１０６は画像記録再生装置が記録動作を行っているか判断する（Ｓ４０１）。行っていない場合は（NO）Ｓ４０１に戻る。行っている場合は（ＹＥＳ）アクセサリ１１２が接続されているが判断する（Ｓ４０２)。アクセサリ１１２が接続されていない場合は（ＮＯ）４０７に移る。アクセサリ１１２が接続されている場合は（ＹＥＳ）アクセサリＩＦモジュール１０４、アクセサリ１１２の外部ＩＦ２０１を介して駆動部２０３を、アクセサリ１１２の外観が記録動作に対応する形態に変化するように制御する（Ｓ４０３）。次に、アクセサリ１１２の内蔵ＲＯＭ２０２に記録されている動画記録に関連付けられている画像データ、音声データを外部ＩＦ２０１、アクセサリＩＦモジュール１０４を介して取得する（Ｓ４０４）。取得した音声データはスピーカ１０７から出力し再生する（Ｓ４０５）。撮影画像と取得した画像データを画像合成部１０９で合成し画像メモリ１０８に格納する（Ｓ４０６）。画像メモリ１０８に格納されている画像を圧縮伸長回路１１０で圧縮し、記録再生部１１１を介して記録媒体１１３に記録する（Ｓ４０７）。
【００２９】
本実施例では、取得した音声データをスピーカ１０７から出力しており、記録媒体１１３にスピーカの出力が記録するようになっているが、出力した音声データの位相を１８０度ずらして干渉させるなどして、記録媒体１１３にスピーカの出力が記録されないようにしてもよい。
【００３０】
図５は、本発明に係る画像記録再生装置のアクセサリ情報付加記録時の一動作例におけるＣＰＵ１０６の動作フローチャートである。図５を参照してアクセサリ情報付加記録の動作を説明する。
【００３１】
まず、ＣＰＵ１０６は画像記録再生装置が記録動作を行っているか判断する（Ｓ５０１）。記録動作を行っていない（ＮＯ）場合はＳ５０１に戻り、記録動作を行っている場合は（ＹＥＳ）アクセサリＩＦモジュール１０４にアクセサリ１１２が接続されているか判断する（Ｓ５０２）。接続されていない場合は（ＮＯ）撮影画像を画像圧縮伸張部１１０で符号化する（Ｓ５０８）。接続されている場合は（ＹＥＳ）アクセサリＩＦモジュール１０４、アクセサリ１１２の外部ＩＦ２０１を介して駆動部２０３をアクセサリ１１２の外観が変化するように制御する（Ｓ５０３）。
【００３２】
次に、アクセサリ１１２の内蔵ＲＯＭ２０２に記録されているアクセサリ１１２の機種情報と動画記録動作に関連付けられている画像データ、音声データを外部ＩＦ２０１、アクセサリＩＦモジュール１０４を介して取得する（Ｓ５０４）。取得した音声データはスピーカ１０７から出力し再生する（Ｓ５０５）。撮影画像と取得した画像データを画像合成部１０９で合成し画像メモリ１０８に格納する（Ｓ５０６）。格納した画像データを画像圧縮伸張部１１０で符号化する（Ｓ５０７）。アクセサリ１１２の形態を変化させた制御情報と取得したアクセサリ１１２の機種情報を符号化した記録データに付加する（Ｓ５０９）。そして、記録データを記録媒体１１３に記録する（Ｓ５１０）。
【００３３】
図６は、本発明に係る画像記録再生装置において、アクセサリ付加情報とアクセサリ制御データが付加されている記録データ再生の一動作例おけるＣＰＵ１０６の動作フローチャートである。図６を参照して上記再生方法を説明する。
【００３４】
まず、ＣＰＵ１０６は記録再生部１１１を介して記録媒体１１３に記録されている記録データを読み取る（Ｓ６０１）。読み取ったデータにアクセサリ機種情報とアクセサリ制御データが付加されているか判断し（Ｓ６０２）、付加されていなければ（ＮＯ）Ｓ６０６に移る。付加されていれば（ＹＥＳ）アクセサリＩＦモジュール１０４にアクセサリ１１２が接続されているか判断し（Ｓ６０３）、接続されていなければ（ＮＯ）Ｓ６０６に移る。接続されていれば（ＹＥＳ）接続されているアクセサリ１１２が取得したアクセサリ機種情報に一致したアクセサリか判断する（Ｓ６０４）。一致しなければ（ＮＯ）ならばＳ６０６に移り、一致するときは（ＹＥＳ）取得したアクセサリ制御データに基づいた制御をアクセサリ１１２に対して行う（Ｓ６０５）。読み取ったデータから画像圧縮伸張部によって画像を再生し液晶パネル１１４に表示する（Ｓ６０６）。
【００３５】
本実施例では、アクセサリ機種情報とアクセサリ制御データ、機種情報に一致したアクセサリの接続の有無によって再生時にアクセサリを制御するようにしたが、上記条件を満たした場合にアクセサリの制御を行うかユーザに設定させても良く、アクセサリ機種情報と接続されているアクセサリが一致した場合に再生時にアクセサリを制御したが、接続されているアクセサリがアクセサリ機種情報に記される機種と互換性があるような場合は再生時にアクセサリを制御しても良い。
【図面の簡単な説明】
【００３６】
【図１】本発明に係る第１の実施例の概略構成ブロック図である。
【図２】本発明に係る第１の実施例の動作例を示すイメージ図である。
【図３】本発明に係る第１の実施例のシャッター操作時における一動作例を示す動作フローチャートである。
【図４】本発明に係る第１の実施例の画像記録再生装置の動画記録時における動作フローチャートである。
【図５】本発明に係る第１の実施例の画像記録再生装置のアクセサリ情報付加記録時における動作フローチャートである。
【図６】本発明に係る第１の実施例の画像記録再生装置において、アクセサリ付加情報とアクセサリ制御データが付加されている記録データ再生の動作フローチャートである
【符号の説明】
【００３７】
１０１    レンズ
１０２    ＣＣＤ
１０３    カメラ信号処理部
１０４    アクセサリIFモジュール
１０５    操作キー
１０６    ＣＰＵ
１０７    スピーカ
１０８    画像メモリー
１０９    画像合成部
１１０    画像圧縮伸張部
１１１    記録再生部
１１２    アクセサリ
１１３    記録媒体
１１４    液晶パネル
２０１    外部ＩＦ
２０２    内蔵ＲＯＭ
２０３    駆動部
２０４    制御部
【図１】
2005176149.tif 000003
【図２】
2005176149.tif 000004
【図３】
2005176149.tif 000005
【図４】
2005176149.tif 000006
【図５】
2005176149.tif 000007
【図６】
2005176149.tif 000008